(57)【要約】【課題】より速く紙葉類を処理することができる紙葉類処理装置、データ転送方法、及び認証システムを提供する。【解決手段】紙葉類処理装置３０は、作業単位毎に投入される紙幣を１枚ずつ取り込み、取り込んだ紙幣を計数して金額情報を取得し、取得した１作業単位分の累計の金額情報と乱数とからＭＡＣを生成する。【選択図】      図１
2009245214.tif 000002
【特許請求の範囲】
【請求項１】
紙幣を計数する紙葉類処理装置であって、
作業単位毎に集積された紙幣が投入される投入部と、
前記投入部に投入された前記紙幣を１枚ずつ取り込む取込手段と、
前記取込手段により取り込んだ紙幣を計数して金額情報を取得する計数手段と、
前記計数手段により取得した１作業単位分の累計の金額情報と乱数とからＭＡＣを生成するＭＡＣ生成手段と、
を備える紙葉類処理装置。
【請求項２】
前記ＭＡＣ生成手段により生成したＭＡＣと前記乱数と前記累計の金額情報とを外部機器に送信する送信手段をさらに備える請求項１に記載の紙葉類処理装置。
【請求項３】
前記１作業単位分の累計の金額情報は、前記計数手段により計数した複数種類の紙幣の金額の合計の情報である請求項１に記載の紙葉類処理装置。
【請求項４】
前記ＭＡＣ生成手段は、計数を行なった時刻、若しくは、日時を乱数として扱い、前記ＭＡＣを生成する手段を備える請求項１に記載の紙葉類処理装置。
【請求項５】
作業単位毎に集積された紙幣を１枚ずつ計数して金額情報を取得し、
前記取得した１作業単位分の累計の金額情報と乱数とからＭＡＣを生成する、
ことを特徴とする紙葉類処理方法。
【請求項６】
前記生成したＭＡＣと前記乱数と前記累計の金額情報とを外部機器に送信することを特徴とする請求項５に記載の紙葉類処理方法。
【請求項７】
前記１作業単位分の累計の金額情報は、前記計数した複数種類の紙幣の金額の合計の情報である請求項５に記載の紙葉類処理方法。
【請求項８】
計数を行なった時刻、若しくは、日時を乱数として扱い、前記ＭＡＣを生成する請求項５に記載の紙葉類処理方法。
【請求項９】
紙幣を計数する紙葉類処理装置と、集計装置と、携帯可能電子装置とを備えた認証システムであって、
前記紙葉類処理装置は、
作業単位毎に集積された紙幣が投入される投入部と、
前記投入部に投入された前記紙幣を１枚ずつ取り込む取込手段と、
前記取込手段により取り込んだ紙幣を計数し金額情報を取得する計数手段と、
前記計数手段により計数した１作業単位分の累計の金額情報と乱数とから第１のＭＡＣを生成する第１のＭＡＣ生成手段と、
前記ＭＡＣ生成手段により生成した第１のＭＡＣと前記乱数と前記累計の金額情報とを前記集計装置に送信する第１の送信手段と、
を備え、
前記集計装置は、
前記紙葉類処理装置より受信した前記第１のＭＡＣと前記乱数と前記累計の金額情報のうち、すくなくとも前記金額情報を記憶する記憶手段と、
前記紙葉類処理装置より受信した前記第１のＭＡＣと前記乱数と前記累計の金額情報とを前記携帯可能電子装置に送信する第２の送信手段と、
を備え、
前記携帯可能電子装置は、
前記集計装置より受信した前記乱数と前記累計の金額情報とから第２のＭＡＣを生成する第２のＭＡＣ生成手段と、
前記集計装置より受信した前記第１のＭＡＣと前記第２のＭＡＣ生成手段により生成した前記第２のＭＡＣとが一致するか否か照合する照合手段と、
を備える認証システム。
【請求項１０】
前記照合手段は、前記第１のＭＡＣと前記第２のＭＡＣとが一致すると判定した場合、前記集計装置より受信した前記第１のＭＡＣと前記累計の金額情報とが改竄されていないと判断する手段を備える請求項９に記載の認証システム。
【請求項１１】
前記照合手段は、前記第１のＭＡＣと前記第２のＭＡＣとが一致しないと判定した場合、前記集計装置より受信した前記第１のＭＡＣと前記累計の金額情報のいずれか、若しくは両方が改竄されていると判断する手段を備える請求項９に記載の認証システム。
【請求項１２】
前記携帯可能電子装置は、
前記照合手段による照合結果を前記集計装置に送信する第３の送信手段をさらに備え、
前記集計装置は、
前記携帯可能電子装置より受信した前記照合結果を表示する表示手段をさらに備える請求項９に記載の認証システム。
【請求項１３】
前記表示手段は、
前記携帯可能電子装置から前記第１のＭＡＣと前記第２のＭＡＣとが一致するという照合結果を受信した場合、前記記憶手段により記憶している前記累計の金額情報をさらに表示する手段を備える請求項１２に記載の認証システム。
【請求項１４】
前記１作業単位分の累計の金額情報は、前記計数手段により計数した複数種類の紙幣の金額の合計の情報である請求項９に記載の認証システム。
【請求項１５】
前記第１及び第２のＭＡＣ生成手段は、計数を行なった時刻、若しくは、日時を乱数として扱い、前記ＭＡＣを生成する手段を備える請求項９に記載の認証システム。
【発明の詳細な説明】
【技術分野】
【０００１】
本発明は、例えば、例えば紙幣等の紙葉類を処理するための紙葉類処理装置、紙葉類処理方法、及び認証システムに関する。
【背景技術】
【０００２】
従来、有価証券、または紙幣などの紙葉類を計数及び鑑査し、この鑑査結果に応じて施封処理や裁断処理を行なう機器本体と、この機器本体とＵＳＢもしくはＬＡＮなどのケーブルにより接続され、上記機器本体と計数情報を管理する管理装置とからなる紙葉類処理装置が実用化されている。
【０００３】
上記したような紙葉類処理装置は、操作者による裁断した紙葉類の枚数の情報（計数情報）の改竄を防止するために、計数情報の暗号化を行なっている。例えば、紙葉類処理装置は、機器本体により裁断された紙葉類の枚数の情報と、動作の回数を数えるカウンタの数値、日付、若しくは時刻等のランダムの要因である乱数とを用いて、トリプルＤＥＳ（Ｄａｔａ  Ｅｎｃｒｙｐｔｉｏｎ  Ｓｔａｎｄａｒｄ）などの暗号方式により暗号化を行ない、ＭＡＣ（Ｍｅｓｓａｇｅ  Ａｕｔｈｅｎｔｉｃａｔｉｏｎ  Ｃｏｄｅ）を生成する。この生成したＭＡＣにより、計数情報の正当性を証明する紙葉類処理装置が提供されている（例えば、特許文献１参照）。
【０００４】
しかし、上記した従来の紙葉類処理装置は、紙葉類の種類毎にＭＡＣを生成している。この為、扱う紙葉類の種類の数が複数である場合、ＭＡＣを生成するのに時間がかかるという問題がある。
【特許文献１】特開２００６−２０１９５４号公報
【発明の開示】
【発明が解決しようとする課題】
【０００５】
そこで、本発明の目的は、より速く紙葉類を処理することができる紙葉類処理装置、紙葉類処理方法、及び認証システムを提供することにある。
【課題を解決するための手段】
【０００６】
上記目的を達成する為、本発明の態様に係る紙葉類処理装置は、紙幣を計数する紙葉類処理装置であって、作業単位毎に集積された紙幣が投入される投入部と、前記投入部に投入された前記紙幣を１枚ずつ取り込む取込手段と、前記取込手段により取り込んだ紙幣を計数して金額情報を取得する計数手段と、前記計数手段により取得した１作業単位分の累計の金額情報と乱数とからＭＡＣを生成するＭＡＣ生成手段とを備える。
【０００７】
また、本発明の態様に係る携帯可能電子装置の紙葉類処理方法は、作業単位毎に集積された紙幣を１枚ずつ計数して金額情報を取得し、前記取得した１作業単位分の累計の金額情報と乱数とからＭＡＣを生成する。
【０００８】
また、本発明の態様に係る携帯可能電子装置の認証システムは、紙幣を計数する紙葉類処理装置と、集計装置と、携帯可能電子装置とを備えた認証システムであって、前記紙葉類処理装置は、作業単位毎に集積された紙幣が投入される投入部と、前記投入部に投入された前記紙幣を１枚ずつ取り込む取込手段と、前記取込手段により取り込んだ紙幣を計数し金額情報を取得する計数手段と、前記計数手段により計数した１作業単位分の累計の金額情報と乱数とから第１のＭＡＣを生成する第１のＭＡＣ生成手段と、前記ＭＡＣ生成手段により生成した第１のＭＡＣと前記乱数と前記累計の金額情報とを前記集計装置に送信する第１の送信手段とを備え、前記集計装置は、前記紙葉類処理装置より受信した前記第１のＭＡＣと前記乱数と前記累計の金額情報のうち、すくなくとも前記金額情報を記憶する記憶手段と、前記紙葉類処理装置より受信した前記第１のＭＡＣと前記乱数と前記累計の金額情報とを前記携帯可能電子装置に送信する第２の送信手段とを備え、前記携帯可能電子装置は、前記集計装置より受信した前記乱数と前記累計の金額情報とから第２のＭＡＣを生成する第２のＭＡＣ生成手段と、前記集計装置より受信した前記第１のＭＡＣと前記第２のＭＡＣ生成手段により生成した前記第２のＭＡＣとが一致するか否か照合する照合手段とを備える。
【発明の効果】
【０００９】
上記構成により、より速く紙葉類を処理することができる紙葉類処理装置、紙葉類処理方法、及び認証システムを提供することができる。
【発明を実施するための最良の形態】
【００１０】
以下、図面を参照しながら、本発明の一実施形態に係る紙葉類処理装置、紙葉類処理方法、及び認証システムについて詳細に説明する。
【００１１】
まず、紙葉類処理装置、及び紙葉類処理システムについて説明する。  
図１は、この発明の実施の形態に係る紙葉類処理システムの構成例を概略的に示す図である。図１に示すように、紙葉類処理システムは、客先サーバ１にＬＡＮ２を介して接続される複数の鑑査機３（３ａ、…、３ｎ、…）から構成される。
【００１２】
鑑査機３は、制御ユニット１１を有する鑑査機本体３０、及びコンピュータ（ＰＣ）１２などを備えている。鑑査機（紙葉類処理装置）３は、例えば、銀行券などの紙幣を詳細に監査し、その監査結果に基づいて紙幣を正券、損券、排除券などの種別ごとに区分する処理などを実行する。また、鑑査機３は、制御ユニット１１内の図示しない記憶部に記憶されている暗号鍵、紙幣の鑑査処理における計数処理の結果である累計の金額情報、乱数であるカウンタの数値、日付、及びは時刻を用いてＭＡＣを生成し、累計の金額情報、カウンタの数値、日付、時刻、及びＭＡＣをＰＣ１２に送信する。
【００１３】
ＰＣ１２は、図示しないネットワークインターフェースを介してＬＡＮ２に接続されるとともに、制御ユニット１１に接続されている。ＰＣ１２は、種々の処理を実行する制御部、記憶手段としての記憶部、及び送受信手段としてのデータ通信部などを有する本体、表示手段としての表示装置（ディスプレイ）、及び操作手段としての操作部（キーボード）を備えている。また、ＰＣ１２は、ＩＣカードＣとデータの送受信を行なうＩＣリーダライタを備えている。なお、客先サーバ１も、ＰＣ１２と同様の構成を備えている。
【００１４】
ＩＣカードＣは、処理結果をＰＣ１２の表示装置に表示させるための認証処理に用いられるＩＣカードである。ＩＣカードＣは、図示しないＣＰＵ、ＲＯＭ、ＲＡＭ、及び不揮発性メモリを備えている。ＩＣカードＣのＲＯＭには、暗号鍵と、金額情報、暗号鍵、乱数であるカウンタの数値、日付、及び時刻を用いてＭＡＣを生成するＭＡＣ生成プログラムと、ＰＣ１２から受信したＭＡＣとＭＡＣ生成プログラムにより生成したＭＡＣとが一致するか認証を行なう認証プログラムとが記憶されている。
【００１５】
このような構成により、ＰＣ１２は、鑑査機本体３０の制御ユニット１１からの紙幣の計数処理の結果である累計の金額情報、カウンタの数値、日付、時刻、及びＭＡＣなどを取得し、記憶する。ＩＣカードＣを検知すると、ＰＣ１２は、記憶している金額情報、カウンタの数値、日付、時刻、及びＭＡＣなどの情報をＩＣカードに送信する。ＩＣカードＣは、受信した情報に基づいてＭＡＣを生成し、受信したＭＡＣと認証を行い、認証結果をＰＣ１２に送信する。ＰＣ１２は、受信した認証結果と計数処理の結果とを表示装置に表示する。即ち、暗号化されたままの金額情報の認証を行なうことができる。なお、ＰＣ１２にプリンタを接続し、監査結果及び認証結果を帳票として出力するようにしてもよい。
【００１６】
制御ユニット１１は、鑑査機本体３０内に設けられるものである。制御ユニット１１は、メイン制御部２１、サブ制御部２２、メイン検知部２３などを有し、鑑査機本体３０の制御やＰＣ１２とのデータ通信などを行うものである。メイン制御部２１は、鑑査機本体３０全体の制御を司るものであり、鑑査機本体３０での紙幣に対する処理の実行、停止、再開などの動作を制御する。
【００１７】
次に、鑑査機本体（紙葉類処理装置）３０について説明する。
【００１８】
図２は、鑑査機本体３０内の構成例を概略的に示す図である。図２に示すように、鑑査機本体３０は、例えば、サイズや図柄などが異なる複数種類の紙幣（ここでは、各紙幣は長方形状であるものとする）が混在する複数の紙幣が一括して投入され、投入された全ての紙幣の特徴量を検出し、その検出結果に基づいて各紙幣の種別を判定し、各紙幣を種別ごとに分類して集積などの処理を行うものである。
【００１９】
鑑査機本体３０は、図２に示すように、第１モジュール３０Ａと第２モジュール３０Ｂと第３モジュール３０Ｃとから構成されているものとする。第１モジュール３０Ａは、主に、オペレータによる操作、紙幣の取出し、紙幣に対する監査などを行うものである。第２モジュール３０Ｂは、主に、紙幣の集積及び施封を行うものである。第３モジュール３０Ｃは、主に、紙幣の集積、施封、及び裁断を行うものである。
【００２０】
鑑査機本体３０は、図２に示すように、複数の紙幣が一括投入される投入部３５が設けられている。この投入部３５は、全ての紙幣の長手方向に沿った下端辺（一方の長端辺）をステージに当接せしめて整位するとともに、ステージに沿って紙幣の面方向に図示しないバックアッププレートを移動せしめる。これにより、投入部３５内の紙幣は、取出し部３５ａへ移動する。この取込手段としての取出し部３５ａは、一対の取出しローラにより構成される。この一対の取出しローラが回転すると、ステージ上の紙幣は、端のものから順に搬送路３６上に取出される。この搬送路３６は、主搬送路３６ａと、その主搬送路３６ａから各ゲートＧ（Ｇ１１、Ｇ２１、Ｇ２２、Ｇ５１、Ｇ５２、Ｇ５３）により分岐される複数の分岐搬送路３６ｂ〜３６ｈとにより構成される。
【００２１】
投入部３５直後の主搬送路３６ａ上には、図示しない整列整位部が設けられている。整列整位部は、取出し部３５ａにより主搬送路３６ａ上に取出された紙幣のスキューやシフトに起因した不具合を防止するため、各紙幣のスキューおよびシフトを補正するものである。さらに、整列整位部直後の主搬送路３６ａ上には、紙幣の種類、表裏、天地、汚れや破損の有無等の特徴を検出する検査ユニット３７が設けられている。この検査ユニット３７は、光学検知部３７ａなどを含む複数の検査部を有する。この検査ユニット３７内の各検査部は、主搬送路３６ａを搬送される紙幣から各種の情報（複数種類の特徴量）を検出するようになっている。
【００２２】
また、検査ユニット３７は、各検査部による検出結果をメイン制御部２１へ出力するようになっている。メイン制御部２１は、検査ユニット３７による検査結果に基づいて紙幣が正券か損券か排除券かを判別する。さらに、メイン制御部２１は、正券と判別した紙幣をどの集積装置に集積するかを判定するため、検査ユニット３７による検査結果に基づいて正券と判別された紙幣に対して種類などを判別するようになっている。
【００２３】
検査ユニット３７より下流側の主搬送路３６ａ上には、検査ユニット３７における検出結果に基づいて紙幣の搬送方向を選択的に切換えるための複数のゲートＧ１１、Ｇ２１、Ｇ２２、Ｇ５１、Ｇ５２、Ｇ５３が設けられている。
【００２４】
最も上流側に設けられたゲートＧ１１は、紙幣の搬送方向を主搬送路３６ａから分岐搬送路３６ｂとしての排除搬送路へ分岐するものである。このゲートＧ１１を介して分岐された分岐搬送路３６ｂの終端には、排除すべき紙幣を排除集積するためのリジェクト部Ｒｅｊが設けられている。
【００２５】
このリジェクト部Ｒｅｊへ搬送される排除すべき紙幣とは、検査ユニット３７による検査結果により２枚取りが判定された紙幣などの後段の処理部における処理が不可能であることが判定された紙幣、及び所定のレベルを超えて大きくスキューしたことが判定された紙幣などである。また、検査ユニット３７による検査結果により偽券の可能性があると判定された紙幣、或は検査ユニット３７で特徴量を検出できなかった紙幣もリジェクト部Ｒｅｊへ排除される。リジェクト部Ｒｅｊは、投入部３５の近傍に配置され、外部からのアクセスが可能となっている。
【００２６】
また、ゲートＧ１１の下流側の主搬送路３６ａ上には、ゲートＧ２１、Ｇ２２、Ｇ５１、Ｇ５２、Ｇ５３が順に設けられている。ゲートＧ２１は、主搬送路３６ａ上を搬送される紙幣を集積装置Ａ１への分岐搬送路３６ｃの方向へ分岐搬送させるものである。ゲートＧ２２は、主搬送路３６ａ上を搬送される紙幣を集積装置Ａ２への分岐搬送路３６ｄの方向へ分岐搬送させるものである。ゲートＧ５１は、主搬送路３６ａ上を搬送される紙幣を集積装置Ｂ１への分岐搬送路３６ｅの方向へ分岐搬送させるものである。ゲートＧ５２は、主搬送路３６ａ上を搬送される紙幣を集積装置Ｂ２への分岐搬送路３６ｆの方向へ分岐搬送させるものである。また、ゲートＧ５３は、主搬送路３６ａ上を搬送される紙幣を損券集積部Ａｕｄへの分岐搬送路３６ｇ、あるいは裁断処理部ＳＤへの分岐搬送路３６ｈの何れかに選択的に振り分けるものである。
【００２７】
各集積装置Ａ１、Ａ２、Ｂ１、Ｂ２は、それぞれ施封処理部４１、帯収納部４２、及び収納部４３を有している。施封処理部４１には、主搬送路３６ａから分岐搬送された紙幣が所定数に達するまで各紙幣を順次集積する。施封処理部４１は、紙幣が所定数に達した場合、帯収納部４２に収納されている帯を用いて所定数に達した紙幣を束ねる。この帯により束ねられた所定数の紙幣を１束に束ねる。収納部４３は、施封処理部４１により１束に把ねられた紙幣を順次収納するものである。通常、収納部４３に収納された段階で当該紙幣の数が確定する。
【００２８】
また、検査ユニット３７にて損券と判定された紙幣は、主搬送路３６ａ上を搬送されて各ゲートＧ２１、Ｇ２２、Ｇ５１、及びＧ５２を通過し、ゲートＧ５３へ至る。ゲートＧ５３に至った紙幣は、ゲートＧ５３により選択的に損券集積部Ａｕｄあるいは裁断処理部ＳＤへ搬送される。裁断処理部ＳＤは、損券と判定された紙幣を裁断するものであり、損券集積部Ａｕｄは、損券と判定された紙幣の一部を集積し、集積した紙幣が損券とすべき券であったか否かを検査するものである。
【００２９】
裁断処理部ＳＤは、搬送されてきた紙幣を全て裁断するものである。これに対して、損券集積部Ａｕｄは、搬送されてきた紙幣が損券として真に処理すべき券（本当に損券として処理すべき汚い紙幣）であるか否かを検査するものである。例えば、損券集積部Ａｕｄへの集積率を１０％とする場合、損券集積部Ａｕｄには、１００枚中１０枚の紙幣が集積される。
【００３０】
また、主搬送路３６ａ及び各分岐搬送路３６ｂ〜３６ｈ上には、複数の検知センサＰ（Ｐ１１〜Ｐ１８、Ｐ２１〜Ｐ２４、Ｐ５１〜Ｐ５６、ＳＤ１Ａ、及びＳＤ１Ｂ）が設けられている。各検知センサＰは、搬送路３６上の紙幣の有無を検知するものである。各検知センサＰの検知出力は、メイン検知部２３を介してメイン制御部２１へ供給されるようになっている。従って、メイン制御部２１は、各検知センサＰからの検知出力に基づいて搬送路３６内の紙幣の位置を判断したり、鑑査機本体３０内のジャムなどの搬送異常を判断したりできるようになっている。
【００３１】
さらに、鑑査機本体３０には、投入部３５近傍に、表示部としてのディスプレイパネル３８及び操作部としてのオペレーションパネル３９が設けられている。ディスプレイパネル３８には、オペレータに対する操作案内、あるいは処理状況などを表示される。また、オペレーションパネル３９は、オペレータが操作指示を行うものである。
【００３２】
また、図１に示すように、鑑査機本体３０内には、制御ユニット１１が設置されている。制御ユニット１１は、メイン制御部２１、サブ制御部２２及びメイン検知部２３等を有し、当該鑑査機本体３０の全体の制御を司るものである。制御ユニット１１は、搬送路３６、ゲートＧ、取出し部３５ａ、集積装置Ａ１、Ａ２、Ｂ１、Ｂ２あるいは裁断処理部ＳＤなどの各部の駆動機構（図示しない）に接続され、各部の動作を制御するようになっている。また、検知センサＰ、ディスプレイパネル３８、オペレーションパネル３９なども制御ユニット１１に接続されている。
【００３３】
メイン制御部２１は、検査ユニット３７による検査結果に基づいて、集積、及び裁断した紙幣の種類毎の枚数を計数する計数処理を行なう。次に、メイン制御部２１は、紙幣の計数処理の結果に基づき、集積、及び裁断した複数種類の紙幣の累計の金額情報を取得する。即ち、メイン制御部２１は計数手段として機能する。さらに、メイン制御部２１は、計数した１作業単位分の累計の金額情報と、カウンタの数値、日付、もしくは時刻などとからＭＡＣを生成する。即ち、メイン制御部２１は、ＭＡＣ生成手段としても機能する。
【００３４】
次に、上記した鑑査機３及び認証システムにおける動作について説明する。  
図３は、図１に示す紙葉類処理システムの各構成における処理を説明するためのシーケンスである。  
このような構成において、図３に示すフローチャートを参照しつつ計数情報の監査処理について説明する。
【００３５】
まず、鑑査機本体３０において紙幣を鑑査し、計数処理を行なう（Ｓ１１）。すなわち、鑑査機本体３０は、紙幣を１枚ずつ搬送しながら真偽判定を行ない、真券については更に正損判定を行なうことにより、正券と損券とに区分し、正券は所定枚数ごとに施封処理し、損券は再使用できないように裁断処理する。鑑査機本体３０のメイン制御部２１は、正券と損券のうち少なくとも損券と判定した紙幣の種類と枚数から、裁断処理した紙幣の累計の金額情報を取得する（ステップＳ１２）。なお、計数処理を行なった正券と損券両方の累計の金額情報を取得するようにしてもよい。
【００３６】
メイン制御部２１は、制御ユニット１１内の図示しない記憶部に記憶されている暗号鍵と金額情報と、日付、時刻、カウント数値等とを用いてＭＡＣを生成する（ステップＳ１３）。メイン制御部２１は、金額情報と、日付、時刻、カウント数値等と、ＭＡＣとをＰＣ１２に送信する（ステップＳ１４）。
【００３７】
ＰＣ１２は、メイン制御部２１から送信された金額情報と、日付、時刻、カウント数値等と、ＭＡＣとをＰＣ１２内の記憶部に記憶する（ステップＳ１５）。同時に、ＰＣ１２は、金額情報と、日付、時刻、カウント数値等と、ＭＡＣとを図１に示す客先サーバ１に送信する（ステップＳ１６）。
【００３８】
客先サーバ１は、ＰＣ１２から送信された金額情報と、日付、時刻、カウント数値等と、ＭＡＣとを客先サーバ１内の記憶部に記憶する（ステップＳ１７）。
【００３９】
ここで、ＰＣ１２のＩＣリーダライタにＩＣカードＣが投入され、鑑査結果を表示する操作が入力された場合、ＰＣ１２は、金額情報と、日付、時刻、カウント数値等と、ＭＡＣとをＩＣカードＣに送信する（ステップＳ１８）。
【００４０】
ＩＣカードＣは、ＰＣ１２から送信された金額情報と、日付、時刻、カウント数値等と、ＩＣカードＣのＲＯＭに記憶されている暗号鍵とからＭＡＣを生成する（ステップＳ１９）。ＩＣカードＣは、生成したＭＡＣと、ＰＣ１２から送信されたＭＡＣとが一致するか否か認証処理を行なう（ステップＳ２０）。ＩＣカードＣは、認証結果をＰＣ１２にレスポンスとして送信する（ステップＳ２１）。
【００４１】
ＰＣ１２は、受信した認証結果をＰＣ１２の表示部に表示する（ステップＳ２２）。また、客先サーバ１とＩＣカードＣの間においても、ステップＳ２３乃至Ｓ２７に示すように、上記したステップＳ１８乃至Ｓ２２と同じ処理が行なわれる。
【００４２】
この認証処理において、ＰＣ１２から受信したＭＡＣと、生成したＭＡＣとが一致すると判定した場合、ＩＣカードＣは、ＰＣ１２から受信したデータは改竄されていないものと判定する。また、ＰＣ１２から受信したＭＡＣと、生成したＭＡＣとが一致しないと判定した場合、ＩＣカードＣは、ＰＣ１２から受信したデータは改竄されていると判定する。
【００４３】
なお、認証結果の他に、さらに計数処理の結果、例えば裁断した紙幣の累計の金額情報などを表示するようにしてもよい。またさらに、計数処理の結果を表示するか否かを、受信した認証結果に応じて決定し表示するようにしてもよい。  以上のように構成された紙葉類処理システムによれば、鑑査機本体３０は、紙幣を正券、損券、排除券などの種別ごとに区分し、それぞれを計数し、少なくとも損券の紙幣の種類と枚数から、損券の累計の金額情報を取得する。鑑査機本体３０は、取得した金額情報と、カウンタの数値、日付、若しくは時刻などの乱数と、記憶している暗号鍵とからＭＡＣを生成し、金額情報と、上記した乱数と、生成したＭＡＣとをＰＣ１２に送信する。ＰＣ１２は、受信したデータを記憶すると同時に、客先サーバ１に送信する。客先サーバは受信したデータを記憶する。
【００４４】
ここで、ＰＣ１２のＩＣリーダライタにＩＣカードＣが投入され、ＰＣ１２に記憶されている損券の累計の金額情報とＭＡＣとが正しいか確認する操作が入力されると、ＰＣ１２は、金額情報とＭＡＣと上記した乱数をＩＣカードＣに送信する。ＩＣカードは受信したデータを元にＭＡＣを生成し、受信したＭＡＣと一致するか否か認証処理を行ない、認証結果をＰＣ１２に送信する。ＰＣ１２は、受信した認証結果を表示する。
【００４５】
上記したように、ＭＡＣを券種毎に生成するのではなく、累計の金額情報に基づいてＭＡＣを生成することにより、簡易な処理により、損券の計数情報の改竄を防止することができる。上記構成により、より速く紙葉類を処理することができる紙葉類処理装置、紙葉類処理方法、及び認証システムを提供することができる。
【００４６】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００４７】
【図１】本実施形態に関わる紙葉類処理システムの構成例を概略的に示す図。
【図２】図１に示す鑑査機本体内の構成例を概略的に示す図。
【図３】図１に示す紙葉類処理システムの各構成における処理を説明するためのシーケンス。
【符号の説明】
【００４８】
１…客先サーバ、２…ＬＡＮ、３…鑑査機、１１…制御ユニット、１２…ＰＣ、２１…メイン制御部、２２…サブ制御部、２３…メイン検知部、３０…鑑査機本体、３５…投入部、３７…検査ユニット、４１…施封処理部、４２…帯収納部、４３…収納部、Ｃ…ＩＣカード、ＳＤ…裁断処理部。
【図１】
2009245214.tif 000003
【図２】
2009245214.tif 000004
【図３】
2009245214.tif 000005